【事件の表示】
　特願２０１６−　８４５６７号「遊技機」拒絶査定不服審判事件〔平成２８年１０月　６日出願公開、特開２０１６−１７４９１９号〕について、次のとおり審決する。
【結　論】
　本件審判の請求は、成り立たない。
【理　由】
第１　手続の経緯
　本願は、平成２７年３月１８日に出願した特願２０１５−５４９９８号の一部を平成２８年４月２０日に新たな特許出願（特願２０１６−８４５６７号）としたものであって、平成２９年４月２０日付けで拒絶の理由が通知され、平成２９年６月２０日に意見書が提出されたところ、平成２９年１１月６日付け（発送日：平成２９年１１月１４日）で拒絶査定がなされ、それに対して、平成３０年２月１３日に拒絶査定不服審判の請求がなされ、これに対し、当審において、平成３０年１１月１４日付けで拒絶の理由が通知され、平成３１年１月１６日に意見書及び手続補正書が提出されたものである。
第２　本願発明
　本願請求項１に係る発明は、平成３１年１月１６日に提出された手続補正書により補正された特許請求の範囲の請求項１に記載の事項により特定されるとおりのものであると認められ、その請求項１に係る発明（以下、「本願発明」という。）は、分説してＡないしＨの符号を付与すると、次のとおりのものである（なお、下線は上記手続補正書による補正箇所を示す。）。
「【請求項１】
Ａ　光源から出射された光を透過させる第一透過部が形成された第一演出部材と、
Ｂ　
前記第一演出部材とは別に独立して存在する部材であって、
を備え、
Ｃ　前記第一透過部は、前記第二透過部に重なる、前記光源が位置する側の反対側に突出する透過凸部を含み、
Ｄ　前記第二演出部材には、前記第二透過部である貫通孔が形成され、当該貫通孔内に前記透過凸部が入り込んでおり、
Ｅ　前記第一演出部材および前記第二演出部材は、一体的に回転するものであり、
Ｆ　
前記透過凸部および前記貫通孔は、前記第一演出部材および前記第二演出部材の回転中心からずれた位置に形成されており、
Ｇ　前記第二演出部材には
、
基準線に沿って並ぶ複数の前記貫通孔の集合体である
Ｈ　遊技機。」
第３　平成３０年１１月１４日付け拒絶理由の概要
　当審による平成３０年１１月１４日付け拒絶理由の概要は、請求項１に係る発明に対する拒絶理由を含むものであって、以下のとおりのものである。
理由１：請求項１に係る発明は、その原出願前日本国内又は外国において頒布された下記の刊行物１に記載された発明であるから、特許法第２９条第１項第３号に該当し、特許を受けることができない。
理由２：請求項１に係る発明は、その原出願前日本国内又は外国において頒布された下記の刊行物１及び２に記載された発明又は電気通信回線を通じて公衆に利用可能となった発明に基いて、以下の（１）及び（２）の記載のとおり、その原出願前にその発明の属する技術の分野における通常の知識を有する者（以下、「当業者」という。）が容易に発明をすることができたものであるから、特許法第２９条第２項の規定により特許を受けることができない。
（１）請求項１に係る発明は、刊行物１に記載された発明に、刊行物２に記載された事項を適用することによって当業者が容易に発明をすることができたものである。
（２）請求項１に係る発明は、刊行物２に記載された発明に、刊行物１に記載された事項を適用することによって当業者が容易に発明をすることができたものである。
　　　　　　　　　　　　　　　　　記
刊行物１：特開２０１０−１１９６６６号公報
刊行物２：特開２０１１−１３０７９１号公報
第４　刊行物に記載された事項並びに引用発明
１　刊行物２
（１）　記載事項
　刊行物２には以下の記載がある（下線は当審が付与した。以下同様。）。
刊２−ア
「【０００１】
　本発明は、
パチンコ遊技機
刊２−イ
「【００２８】
　遊技盤１１０には、演出用電飾装置１５０が設けられている。
演出用電飾装置１５０は、回転・発光する回転発光部１５５
を有し
回転発光部１５５は、
発光・回転し、遊技者に大当たりへの期待感を与えるようになって
【００２９】
　前面枠２００の下部には、手前側に膨出形成された受皿２０３が設けられている。受皿２０３は、貸し出された遊技球、払い戻された賞球、ファウル球を多数収納するものである。前面枠２００の下部には、遊技盤１１０上に遊技球を発射操作するためのハンドル２０２が回動自在に取り付けられている。遊技者がハンドル２０２を回動させると、遊技球が間欠的に発射され、当該遊技球が遊技盤１１０上に配設されたレール１３２、１３３間を上昇して遊技盤１１０の上部位置に達した後に、遊技領域１１２内を落下するようになっている。
【００３０】
（演出用電飾装置の構造）
　以下、図３〜図５を用いて、演出用電飾装置１５０の構造について詳細に説明する。なお、図３において、（Ａ）は回転発光部１５５が上方に格納されている状態の演出用電飾装置１５０の正面図、（Ｂ）は（Ａ）の裏面図、（Ｃ）は回転発光部１５５が装飾図柄表示装置１１１の前面に進出した状態の演出用電飾装置１５０の正面図、（Ｄ）は（Ｃ）の裏面図である。図３に示されるように、演出用電飾装置１５０は、基部１５１と、この基部１５１に上下方向にスライド可能に取り付けられたスライドレール１５２と、このスライドレール１５２に上下方向スライド可能に取り付けられた回転発光部１５５とから構成されている。基部１５１は、スライドレール１５２及び回転発光部１５５を、下方に落下させ、或いは、上方に引き上げるための、モータと複数のギアを有している。
【００３１】
　
回転発光部１５５は、
ベース部材１５９と、このベース部材１５９に取り付けられた基板１５７
と、
ベース部材１５９に回転自在に取り付けられた略円盤形状の回転配光部材１５６と、回転配光部材１５６を回転させるモータ１５８
とから構成され
【００３２】
　図４に示されるように、
基板１５７は、円盤形状であり、表面に多数の発光部材１５７ａが配設されて
【００３３】
　本実施形態では、
回転配光部材１５６は、
銭貨形状と
回転配光部材１５６は、ポリカーボネートやアクリル等の樹脂で構成され
茶色や黄金色のような銭貨色となって
回転配光部材１５６の表面
に、ハーフ蒸着によるアルミニウム等の蒸着金属薄膜層１５６ｆ
を形成する
回転配光部材１５６の表面には、配光レンズ１５６ａが形成され
配光レンズ１５６ａは、
透明となっている
配光レンズ１５６ａは、
ドーム形状の凸レンズである。
ハーフ蒸着により、回転配光部材１５６を半透明にする場合には、配光レンズ１５６ａが形成されている箇所をマスキングしてから、ハーフ蒸着を行う。
【００３４】
　図５や図６に示されるように、回転配光部材１５６の裏面には、散光層１５６ｂが形成されている。散光層１５６ｂは、透明であるが、ダイヤカット、シボ、ローレット、磨りガラス状等の凹凸処理加工部１５６ｇ（図６に示す）が形成されている。凹凸処理加工部１５６ｇは、金型加工や二次加工により形成される。なお、配光レンズ１５６ａが形成されている位置と一致する位置の散光層１５６ｂには、凹凸処理加工部１５６ｇが形成されていない透光部１５６ｃが形成されている。各発光部材１５７ａを発光させた場合には、各発光部材１５７ａから照射される演出光が、散光層１５６ｂの凹凸処理加工部１５６ｇで、複雑に屈折し、回転配光部材１５６全体が淡く発光するようになっている。このため、回転配光部材１５６全体が光って見え、回転配光部材１５６が目立つ。なお、回転配光部材１５６に、散光層１５６ｂが形成されていない場合には、発光部材１５７ａが配設されている位置のみが強く発光し、遊技者に煩雑な印象を与えてしまう。なお、散光層１５６ｂをシート状の別体としても差し支えない。この場合には、穴を開けることにより透光部１５６ｃを形成しても差し支えない。なお、回転配光部材１５６には側壁部１５６ｅが形成されているので、各発光部材１５７ａが発光した際に、各発光部材１５７ａから照射される演出光が、回転配光部材１５６の外縁から漏洩しないので、遊技者に煩雑な印象を与えない。
【００３５】
  図５に示されるように、回転配光部材１５６の裏面には、ギア部１５６ｄが形成されている。ギア部１５６ｄは、モータ１５８の回転軸に取り付けられた回転ギア１５８ａと噛合している。モータ１５８に駆動電流が印加すると、回転配光部材１５６が回転し、回転配光部材１５６が基板１５７に対して相対動する。なお、モータ１５８は、ベース部材１５９に取り付けられている。
【００３６】
（本発明の作用）
　図７を用いて、本発明の作用について説明する。なお、図７において、回転配光部材１５６の表面に形成された文字等を省略して表している。回転発光部１５５が装飾図柄表示装置１１１の前面に進出すると、全ての発光部材１５７ａが発光する。図７の（Ａ）に示されるように、配光レンズ１５６ａの位置が、発光部材１５７ａと一致しない場合には、配光レンズ１５６ａから演出光は放射されず、回転配光部材１５６全体が淡く発光する。回転配光部材１５６が回転して、図７の（Ｂ）や（Ｃ）に示されるように、配光レンズ１５６ａの位置が、発光部材１５７ａと一致した場合には、
発光部材１５７ａから発光された演出光が、配光レンズ１５６ａで集光されて、回転配光部材１５６の前方に照射される
　回転する回転配光部材１５６は、一定周期で、配光レンズ１５６ａと発光部材１５７ａの位置が一致するので、遊技者には、回転発光部１５５があたかも点滅しているように見える。また、図７に示される実施形態では、発光部材１５７ａが所定角度をおいて、同心円状に（小円１５７ｂ及びこの小円１５７ｂの外側の大円１５７ｃ上に）に設けられ、小円１５７ｂ上に設けられた発光部材１５７ａと配光レンズ１５６ａが一致する時と、大円１５７ｃ上に設けられた発光部材１５７ａと配光レンズ１５６ａが一致する時が異なるので、複雑に回転発光部１５５が発光しているように見える。勿論、図７の（Ｂ）や（Ｃ）に示される状態であっても、回転配光部材１５６全体は淡く発光する。
【００３７】
（第２の実施形態）
　図８を用いて、第１の実施形態と異なる点について第２の実施形態を説明する。第２の実施形態では、発光部材１５７ａは、所定角度をおいて同心円状に、且つ、放射状に、基板１５７上に配設されている。図８に示される実施形態では、
配光レンズ１５６ａは、所定角度をおいて同心円状に、発光部材１５７ａと同数形成されている。
外側の配光レンズ１５６ａを、内側の配光レンズ１５６ａに対して、所定角度θずらして形成している。
内側の配光レンズ１５６ａと発光部材１５７ａの位置が一致した状態から（図８の（Ａ）の状態）、回転配光部材１５６が、前記所定角度θ回転すると、図８の（Ｂ）に示されるように、外側の配光レンズ１５６ａと発光部材１５７ａの位置が一致して、外側の配光レンズ１５６ａから演出光が照射される。更に、回転配光部材１５６が、前記所定角度θ回転すると、図８の（Ｃ）に示されるように、更に外側の配光レンズ１５６ａと発光部材１５７ａの位置が一致して、更に外側の配光レンズ１５６ａから演出光が照射される。
刊２−ウ
「図２
」
刊２−エ
「図４
」
刊２−オ
「図５
」
刊２ーカ
「図６
」
刊２−キ
「図８
」
（２）　認定事項
　上記刊２−アないし刊２−キに摘記した刊行物２の記載より、以下の事項が導き出せる。なお、（ａ）ないし（ｈ）の符号は、本願発明に付したＡないしＨの符号に対応するものである。
（ａ）　上記刊２−ウに示した図２より、パチンコ遊技機１が演出用電飾装置１５０を有することが認定できる。
　また、上記刊２−イに示した段落【００２８】には、「
演出用電飾装置１５０は、回転・発光する回転発光部１５５
を有し
回転発光部１５５は、
発光・回転し、遊技者に大当たりへの期待感を与えるようになって
回転発光部１５５は、
ベース部材１５９と、
このベース部材１５９に取り付けられた基板１５７
と、
ベース部材１５９に回転自在に取り付けられた略円盤形状の回転配光部材１５６と、回転配光部材１５６を回転させるモータ１５８
とから構成され
基板１５７は、円盤形状であり、表面に多数の発光部材１５７ａが配設されて
　そして、同段落【００３３】には、「
回転配光部材１５６は、ポリカーボネートやアクリル等の樹脂で構成され
回転配光部材１５６の表面には、配光レンズ１５６ａが形成され
配光レンズ１５６ａは、
透明となっている
　さらに、段落【００３６】には、「
発光部材１５７ａから発光された演出光が、配光レンズ１５６ａで集光されて、回転配光部材１５６の前方に照射される
　したがって、上記記載より、演出用電飾装置１５０を有するパチンコ機１であって（図２）、演出用電飾装置１５０は、回転・発光する回転発光部１５５を有し、回転発光部１５５は、発光・回転し、遊技者に大当たりへの期待感を与えるようになっており（段落【００２８】）、回転発光部１５５は、ベース部材１５９と、このベース部材１５９に取り付けられた基板１５７と、ベース部材１５９に回転自在に取り付けられた略円盤形状の回転配光部材１５６と、回転配光部材１５６を回転させるモータ１５８とから構成され（段落【００３１】）、基板１５７は、円盤形状であり、表面に多数の発光部材１５７ａが配設され（段落【００３２】）、回転配光部材１５６は、ポリカーボネートやアクリル等の樹脂で構成され、回転配光部材１５６の表面には、配光レンズ１５６ａが形成され、配光レンズ１５６ａは、透明となっており（段落【００３３】）、発光部材１５７ａから発光された演出光が、配光レンズ１５６ａで集光されて、回転配光部材１５６の前方に照射される（段落【００３６】）点が認定できる。
（ｂ）　上記刊２−イに示した段落【００３３】には、「
回転配光部材１５６は、
銭貨形状と
茶色や黄金色のような銭貨色となって
回転配光部材１５６の表面
に、ハーフ蒸着によるアルミニウム等の蒸着金属薄膜層１５６ｆ
を形成する
ハーフ蒸着により、回転配光部材１５６を半透明にする場合には、配光レンズ１５６ａが形成されている箇所をマスキングしてから、ハーフ蒸着を行う。
　したがって、上記記載より、回転配光部材１５６は、銭貨形状とされ、茶色や黄金色のような銭貨色となっており、回転配光部材１５６の樹脂部分の表面には、ハーフ蒸着によるアルミニウム等の蒸着金属薄膜層１５６ｆが形成されるとともに、配光レンズ１５６ａの部位には蒸着金属薄膜層１５６ｆは設けられず、薄膜層不在部が形成された点が認定できる。
（ｃ）　上記刊２−イに示した段落【００３３】には、「
回転配光部材１５６の表面には、配光レンズ１５６ａが形成され
配光レンズ１５６ａは、
ドーム形状の凸レンズである。
　したがって、上記記載より、配光レンズ１５６ａは、回転配光部材１５６の樹脂部分の、発光部材１５７ａが位置する側と反対側に突出するドーム形状の凸レンズであり、上記薄膜層不在部に形成される点が認定できる。
（ｄ）　上記刊２−カに示した図６の記載、及び、上記（ｂ）を参照すると、上記薄膜層不在部には、配光レンズ１５６ａが入り込んだ態様とされる点が見て取れる。
　したがって、上記記載より、上記薄膜層不在部には、配光レンズ１５６ａが入り込んだ態様とされる点が認定できる。
（ｅ）　上記刊２−イに示した段落【００３１】には、「
回転発光部１５５は、
ベース部材１５９と、
ベース部材１５９に回転自在に取り付けられた略円盤形状の回転配光部材１５６と、回転配光部材１５６を回転させるモータ１５８
とから構成され
　また、上記刊２−イに示した段落【００３３】には、「
回転配光部材１５６の表面
に、ハーフ蒸着によるアルミニウム等の蒸着金属薄膜層１５６ｆ
を形成する
　してみると、回転配光部材１５６が回転するときは、回転配光部材１５６の回転時に蒸着金属薄膜層１５６ｆが回転配光部材１５６の樹脂部分と一体として回転することは当業者にとって明らかである。
　したがって、上記の記載より、回転配光部材１５６の樹脂部分と蒸着金属薄膜層１５６ｆとは一体として回転するものである点が認定できる。
（ｆ）　上記刊２−キに示した図８を参照すると、回転配光部材１５６に形成された配光レンズ１５６ａは、回転配光部材１５６の回転の中心からずれた位置に形成された点が見て取れる。
　そして、上記（ｂ）及び（ｃ）より、配光レンズ１５６ａと薄膜層不在部は、回転配光部材１５６の表面において同じ位置に存在するから、薄膜層不在部も、回転配光部材１５６の回転の中心からずれた位置に形成されたことは明らかである。
　したがって、上記記載より、配光レンズ１５６ａおよび薄膜層不在部は、回転配光部材１５６の回転の中心からずれた位置に形成された点が認定できる。
（ｇ）　上記刊２−イに示した段落【００３７】には、「
配光レンズ１５６ａは、所定角度をおいて同心円状に、発光部材１５７ａと同数形成されている。
外側の配光レンズ１５６ａを、内側の配光レンズ１５６ａに対して、所定角度θずらして形成している。
内側の配光レンズ１５６ａと発光部材１５７ａの位置が一致した状態から（図８の（Ａ）の状態）、回転配光部材１５６が、前記所定角度θ回転すると、図８の（Ｂ）に示されるように、外側の配光レンズ１５６ａと発光部材１５７ａの位置が一致して、外側の配光レンズ１５６ａから演出光が照射される。更に、回転配光部材１５６が、前記所定角度θ回転すると、図８の（Ｃ）に示されるように、更に外側の配光レンズ１５６ａと発光部材１５７ａの位置が一致して、更に外側の配光レンズ１５６ａから演出光が照射される。
　そして、上記（ｆ）より、配光レンズ１５６ａと薄膜層不在部は、回転配光部材１５６の表面において同じ位置に設けられるものである。
　したがって、上記記載より、薄膜層不在部は、「内側の薄膜層不在部」、「外側の薄膜層不在部」、「更に外側の薄膜層不在部」が、それぞれ同心円状に同数形成され、１つの「内側の薄膜層不在部」に対して、対応する「外側の薄膜層不在部」が、所定角度θずらして形成され、当該「外側の薄膜層不在部」に対して、対応する「更に外側の薄膜層不在部」が、所定角度θずらして形成されている点が認定できる。
（ｈ）　上記２−アに示した段落【０００１】には、「本発明は、
パチンコ遊技機
（３）　引用発明２
　上記刊２−アないし刊２−キの記載を含む刊行物２に記載された事項、及び、上記（ａ）ないし（ｈ）に示した認定事項を総合すると、刊行物２には、以下の発明（以下、「引用発明２」という。）が記載されているといえる。（ａないしｈの符号は、本願発明のＡないしＨに対応させて、当審にて付与した。また、括弧内に示された段落番号は刊行物２における引用箇所を示す。）
（引用発明２）
「ａ　演出用電飾装置１５０を有するパチンコ遊技機１であって（図２）、
　演出用電飾装置１５０は、回転・発光する回転発光部１５５を有し、回転発光部１５５は、発光・回転し、遊技者に大当たりへの期待感を与えるようになっており（段落【００２８】）、
　回転発光部１５５は、ベース部材１５９と、このベース部材１５９に取り付けられた基板１５７と、ベース部材１５９に回転自在に取り付けられた略円盤形状の回転配光部材１５６と、回転配光部材１５６を回転させるモータ１５８とから構成され（段落【００３１】）、
　基板１５７は、円盤形状であり、表面に多数の発光部材１５７ａが配設され（段落【００３２】）、
　回転配光部材１５６は、ポリカーボネートやアクリル等の樹脂で構成され、回転配光部材１５６の表面には、配光レンズ１５６ａが形成され、配光レンズ１５６ａは、透明となっており（段落【００３３】）、
　発光部材１５７ａから発光された演出光が、配光レンズ１５６ａで集光されて、回転配光部材１５６の前方に照射され（段落【００３６】）、
ｂ　回転配光部材１５６は、銭貨形状とされ、茶色や黄金色のような銭貨色となっており、回転配光部材１５６の樹脂部分の表面には、ハーフ蒸着によるアルミニウム等の蒸着金属薄膜層１５６ｆが形成されるとともに、配光レンズ１５６ａの部位には蒸着金属薄膜層１５６ｆは設けられず、薄膜層不在部が形成され（段落【００３３】、図６）、
ｃ　配光レンズ１５６ａは、回転配光部材１５６の樹脂部分の、発光部材１５７ａが位置する側と反対側に突出するドーム形状の凸レンズであり、上記薄膜層不在部に形成され（段落【００３３】、図６）、
ｄ　薄膜層不在部には、配光レンズ１５６ａが入り込んだ態様とされ（図６）、
ｅ　回転配光部材１５６の樹脂部分と蒸着金属薄膜層１５６ｆとは一体として回転するものであり（段落【００３１】、【００３３】、図６）、
ｆ　配光レンズ１５６ａおよび薄膜層不在部は、回転配光部材１５６の回転の中心からずれた位置に形成され（図６、図８）、
ｇ　薄膜層不在部は、「内側の薄膜層不在部」、「外側の薄膜層不在部」、「更に外側の薄膜層不在部」が、それぞれ同心円状に同数形成され、１つの「内側の薄膜層不在部」に対して、対応する「外側の薄膜層不在部」が、所定角度θずらして形成され、当該「外側の薄膜層不在部」に対して、対応する「更に外側の薄膜層不在部」が、所定角度θずらして形成された（段落【００３７】、図８）
ｈ　パチンコ遊技機１（段落【０００１】）。」
２　刊行物１
（１）　記載事項
　刊行物１には以下の記載がある。
刊１−ア
「【００１５】
(パチンコ機について)
  
実施例に係るパチンコ機１０
図１に示す
刊１−イ
「【００１９】
・・・
所定の制御条件下で発光および回転動作される回転演出装置４０
配設され
刊１−ウ
「【００２１】
(回転演出装置について)
　図５、図６、図７または図８に示すように、前記枠状装飾体３０に配設される
前記回転演出装置４０は、ＬＥＤ基板(発光体基板)５０および駆動モータ(駆動手段)５３が配設されるベース部材４１と、ＬＥＤ基板５０の前側に位置するようベース部材４１に回転可能に支持され、駆動モータ５３の駆動によりＬＥＤ基板５０の前側で回転される可動体６０
から形成され
刊１−エ
「【００２３】
　ここで、
前記ＬＥＤ基板５０の前面には、
を照射可能な第１ＬＥＤ(第１発光体)５１
が実装され
刊１−オ
「【００２５】
(可動体について)
　図９、図１０または図１１に示すように、
前記可動体６０は、
レンズ部材７０と、
レンズ部材７０の前側に配設される装飾カバー体７６とから構成され
刊１−カ
「【００２８】
(レンズ部材)
　前記レンズ部材７０の外郭形状は、図９または図１０に示すように、前記光透過部材６４の外郭形状より全体的に小型に形成されると共に、正面視において略相似形をなすよう形成されており、光透過部材６４とレンズ部材７０とを前後に重ね合わせた際に、正面視においてレンズ部材７０が光透過部材６４の内側に隠れるようになっている。また、
前記レンズ部材７０には、
前方へ膨出する５つの第２レンズ部７１が
形成されて
刊１−キ
「【００３０】
(装飾カバー体)
　図９、図１０または図１１に示すように、
前記装飾カバー体７６は、前記レンズ部材７０の前面を覆う前面板７７と、該前面板７７の外周囲から後方へ延出する外側面７９とから後方に開口するよう形成され
前記装飾カバー体７６の前面板７７は、
該レンズ部材７０に設けられた各第２レンズ部７１に対応して、前後に開口する５つの露出窓部(露出部)７８が形成され
【００３１】
　また、前記装飾カバー体７６には、前記レンズ部材７０の各切欠き部７２と対応する位置に、該切欠き部７２と嵌合する位置決めボス(図示せず)が後方へ突出するよう形成されており、該位置決めボスが対応の切欠き部７２に嵌合することで、装飾カバー体７６に対してレンズ部材７０および光拡散シート７４の夫々が位置決めされる。そして、前記光透過部材６４のネジ挿通孔６８に挿通したネジを各位置決めボスの後端部に形成したネジ孔(図示せず)に螺挿することで、光透過部材６４と装飾カバー体７６とが固定される。すなわち、前記光透過部材６４を装飾カバー体７６にネジ止めすることで、該光透過部材６４と装飾カバー体７６との間に配置された前記レンズ部材７０および光拡散シート７４が狭持固定されて、
可動体６０を単一部品として取り扱い得るようになっている
刊１−ク
「【００３９】
〔実施例の作用〕
　次に、前述のように構成された実施例に係るパチンコ機１０の作用について説明する。
【００４０】
　前記遊技盤２０に設けた内外のレール２２ａ,２２ｂに沿って遊技領域２０ａに打ち出されたパチンコ球は、遊技盤２０上に設けた遊技釘等に接触して流下方向を変更しながら流下する。そして、前記遊技領域２０ａを流下するパチンコ球が前記始動入賞装置２３に入賞すると、前記図柄表示装置１７において所要の図柄変動演出が開始され、図柄変動演出の結果、図柄表示装置１７に特定の図柄組合わせが表示されると大当りが発生し、前記特別入賞装置２４が開放してパチンコ球の入賞が許容される。そして、前記始動入賞装置２３にパチンコ球が入賞すると、
所定の制御条件下で前記回転演出装置４０の発光により発光演出が行なわれると共に、可動体６０の回転により動作演出が行なわれる
刊１−ケ
「図１
」
刊１−コ
「図５
」
刊１−サ
「図９
」
刊１−シ
「図１０
」
刊１−ス
「図１１
」
（２）　認定事項
ア　上記刊１−アに示した段落【００１５】には、「
実施例に係るパチンコ機１０
図１に示
所定の制御条件下で発光および回転動作される回転演出装置４０
が配設され
イ　上記刊１−ウに示した段落【００２１】の記載より、前記回転演出装置４０は、ＬＥＤ基板(発光体基板)５０および駆動モータ(駆動手段)５３が配設されるベース部材４１と、ＬＥＤ基板５０の前側に位置するようベース部材４１に回転可能に支持され、駆動モータ５３の駆動によりＬＥＤ基板５０の前側で回転される可動体６０から形成された点が認定できる。
ウ　上記刊１−オに示した段落【００２５】の記載より、前記可動体６０は、レンズ部材７０と、レンズ部材７０の前側に配設される装飾カバー体７６とから構成される点が認定できる。
エ　上記刊１−カに示した段落【００２８】の記載より、前記レンズ部材７０には、前方へ膨出する５つの第２レンズ部７１が形成されている点が認定できる。
オ　上記刊１−キに示した【００３０】の記載より、前記装飾カバー体７６は、前記レンズ部材７０の前面を覆う前面板７７と、該前面板７７の外周囲から後方へ延出する外側面７９とから後方に開口するよう形成され、前記装飾カバー体７６の前面板７７は、該レンズ部材７０に設けられた各第２レンズ部７１に対応して、前後に開口する５つの露出窓部(露出部)７８が形成された点が認定できる。
カ　上記刊１−スに示した図１１を参照すると、レンズ部材７０に設けられた第２レンズ部７１の凸状の部位が、装飾カバー体７６の前面板７７に設けられた露出窓部７８に入り込んでいる点が見て取れる。そして、上記刊１−エに示した段落【００２３】には、ＬＥＤ基板５０には第１ＬＥＤ５１が実装され、光が照射可能となっている点が記載されていることから、上記図１１を参照すると、第１ＬＥＤ５１から照射される光が、第２レンズ部材７１、露出窓部７８の順に、透過されることが見てとれる。
キ　上記刊１−キに示した段落【００３１】には、「可動体６０を単一部品として取り扱い得る」と記載されていることから、レンズ部材７０と装飾カバー体７６が、一体として回転し得るものであると認定できる。
ク　上記刊１−クに示した段落【００４０】には、「所定の制御条件下で前記回転演出装置４０の発光により発光演出が行なわれると共に、可動体６０の回転により動作演出が行なわれる」点が記載されている。
ケ　上記刊１−コに示した図５を参照すると、回転演出装置４０の可動体６０を構成する装飾カバー体７６及び露出窓部７８に入り込んた第２レンズ部７１により、遊技者に対して、特有の装飾効果を奏することが見てとれる。
（３）　引用発明１
　上記刊１−アないし刊１−スの記載を含む刊行物１に記載された事項、及び、上記アないしケに示した認定事項を総合すると、刊行物１には、以下の発明（以下、「引用発明１」という。）が記載されていると認められる。
（引用発明１）
「所定の制御条件下で発光および回転動作される回転演出装置４０が配設されたパチンコ機１０において（段落【００１５】、【００１９】、図１、認定事項ア）、
　前記回転演出装置４０は、ＬＥＤ基板(発光体基板)５０および駆動モータ(駆動手段)５３が配設されるベース部材４１と、ＬＥＤ基板５０の前側に位置するようベース部材４１に回転可能に支持され、駆動モータ５３の駆動によりＬＥＤ基板５０の前側で回転される可動体６０から形成され（段落【００２１】、認定事項イ）、
　前記可動体６０は、レンズ部材７０と、レンズ部材７０の前側に配設される装飾カバー体７６とから構成され（段落【００２５】、認定事項ウ）、
　前記レンズ部材７０には、前方へ膨出する５つの第２レンズ部７１が形成されており（段落【００２８】、認定事項エ）、
　前記装飾カバー体７６は、前記レンズ部材７０の前面を覆う前面板７７と、該前面板７７の外周囲から後方へ延出する外側面７９とから後方に開口するよう形成され（段落【００３０】、認定事項オ）、
　前記装飾カバー体７６の前面板７７は、該レンズ部材７０に設けられた各第２レンズ部７１に対応して、前後に開口する５つの露出窓部(露出部)７８が形成され（段落【００３０】、認定事項オ）、
　第２レンズ部７１と露出窓部７８は、第２レンズ部７１、露出窓部７８の順にＬＥＤ基板５０に設けられた第１ＬＥＤ５１からの光を透過するものであり（段落【００２３】、図１１、認定事項カ）、
　レンズ部材７０と装飾カバー体７６が、一体として回転し得るものであり（段落【００３１】、認定事項キ）、
　回転演出装置４０の発光により発光演出が行なわれると共に、可動体６０の回転により動作演出が行なわれ、可動体６０を構成する装飾カバー体７６及び露出窓部７８に入り込んた第２レンズ部７１により、遊技者に対して特有の装飾効果を奏する（図５、認定事項ク、認定事項ケ）
　パチンコ機１０。」
第５　対比
　引用発明２と本願発明とを対比する。
１　本願発明のＡの特定事項について
　引用発明２の構成ａにおける「演出光」を「発光」する「発光部材１５７ａ」は、本願発明の「光」を「出射」する「光源」に相当する。
　また、引用発明２の構成ａにおける「回転配光部材１５６の樹脂部分」は、「表面に」「透明」な「配光レンズ１５６ａ」を備えるものであり、この「配光レンズ１５６ａ」は、「発光部材１５７ａから発光された演出光が、配光レンズ１５６ａで集光されて、回転配光部材１５６の前方に照射」するものであるから、引用発明２の「透明」な「配光レンズ１５６ａ」は、本願発明の「光を透過させる第一透過部」に相当する。
　そして、引用発明２の「回転配光部材１５６」は、「発光・回転し、遊技者に大当たりへの期待感を与える」ための回転発光部１５５の一部であるから、演出部材であるといえる。
　よって、引用発明２の「表面に」「透明」な「配光レンズ１５６ａが形成され」た「樹脂部分」を有する「回転配光部材１５６」は、本願発明の「光を透過させる第一透過部が形成された第一演出部材」に相当する。
　
２　本願発明のＢの特定事項について
　引用発明２の構成ｂにおける「ハーフ蒸着によ」り「形成され」た「蒸着金属薄膜層１５６ｆ」の「配光レンズ１５６ａの部位に」「形成され」た「薄膜層不在部」は、「配光レンズ１５６ａ」を透過した光が透過するものであるから、本願発明の「第一透過部を透過した光を透過させる第二透過部」に相当する。
　そして、引用発明２の構成ｂにおける「回転配光部材１５６の樹脂部分の表面に」「ハーフ蒸着によ」り「形成され」「配光レンズ１５６ａの部位に」「薄膜層不在部」が「形成され」た「蒸着金属薄膜層１５６ｆ」と、本願発明の「前記第一演出部材とは別に独立して存在する部材であって、前記第一透過部を透過した光を透過させる第二透過部が形成された第二演出部材」とは、第一透過部を透過した光を透過させる第二透過部が形成された第二演出部である点で共通する。
３　本願発明のＣの特定事項について
　引用発明２の構成ｃにおける「配光レンズ１５６ａ」が「上記薄膜層不在部に形成される」ことは、本願発明の「前記第一透過部は、前記第二透過部に重なる」ことに相当する。
　また、引用発明２の構成ｃにおける「ドーム形状の凸レンズであ」ることは、本願発明の「透過凸部を含」むことに相当する。よって、引用発明２の「配光レンズ１５６ａは、」「回転配光部材１５６の樹脂部分の、発光部材１５７ａが位置する側と反対側に突出するドーム形状の凸レンズであ」ることは、本願発明の「前記第一透過部は、」「前記光源が位置する側の反対側に突出する透過凸部を含」むことに相当する。
　したがって、引用発明２の構成ｃにおける「配光レンズ１５６ａは、回転配光部材１５６の樹脂部分の、発光部材１５７ａが位置する側と反対側に突出するドーム形状の凸レンズであり、上記薄膜層不在部に形成され」ることは、本願発明の「前記第一透過部は、前記第二透過部に重なる、前記光源が位置する側の反対側に突出する透過凸部を含」むことに相当する。
４　本願発明のＤの特定事項について
　引用発明２の構成ｂにおける「配光レンズ１５６ａの部位には蒸着金属薄膜層１５６ｆは設けられず、薄膜層不在部が形成され」ることは、結果的に、蒸着金属薄膜層１５６ｆに孔が形成されたともいえることから、本願発明の「貫通孔が形成され」ることに相当する。
　また、引用発明２の構成ｄにおける「薄膜層不在部には、配光レンズ１５６ａが入り込んだ態様とされ」ることは、本願発明の「当該貫通孔内に前記透過凸部が入り込んで」いることに相当する。
　よって、引用発明２の「配光レンズ１５６ａの部位には蒸着金属薄膜層１５６ｆは設けられず、薄膜層不在部が形成され」、「薄膜層不在部には、配光レンズ１５６ａが入り込んだ態様とされ」ることと、本願発明の「前記第二演出部材には、前記第二透過部である貫通孔が形成され、当該貫通孔内に前記透過凸部が入り込んで」いることとは、第二演出部には、第二透過部である貫通孔が形成され、当該貫通孔に透過凸部が入り込んでいる点で共通する。
５　本願発明のＥの特定事項について
　引用発明２の構成ｅにおける「回転配光部材１５６の樹脂部分と蒸着金属薄膜層１５６ｆとは一体として回転するものであ」ることと、本願発明の「前記第一演出部材および前記第二演出部材は、一体的に回転するものであ」ることは、第一演出部材と第二演出部は、一体的に回転するものである点で共通する。
６　本願発明のＦの特定事項について
　引用発明２の構成ｆにおける「配光レンズ１５６ａおよび薄膜層不在部は、回転配光部材１５６の回転の中心からずれた位置に形成され」る点と、本願発明の「前記透過凸部および前記貫通孔は、前記第一演出部材および前記第二演出部材の回転中心からずれた位置に形成されて」いる点は、透過凸部および貫通孔は、第一演出部材および第二演出部の回転中心からずれた位置に形成されている点で共通する。
７　本願発明のＧの特定事項について
　引用発明２において、１つの「内側の薄膜層不在部」の外側には、回転の中心に対して所定角度θずらして、対応する「外側の薄膜層不在部」が設けられ、その外側には、さらに所定角度θずらして、対応する「更に外側の薄膜層不在部」が設けられており、それらを結ぶと、回転中心側から外側に向かって延びる線が特定できることが見て取れる。したがって、蒸着金属薄膜層１５６ｆに形成された薄膜層不在部は、回転中心側から外側に向かって延びる基準線に沿って並ぶ複数の薄膜層不在部の集合体である一または複数の線状透過部を成していると認められる。
　したがって、引用発明２と本願発明は、第二演出部には、回転中心側から外側に向かって延びる基準線に沿って並ぶ複数の前記貫通孔の集合体である一または複数の線状透過部が形成されている点で共通する。
８　本願発明のＨの特定事項について
　引用発明２の「パチンコ遊技機１」は、本願発明の「遊技機」に相当する。
９　一致点及び相違点について
　以上のことから、本願発明と引用発明２は、以下の点で一致する。
＜一致点＞
Ａ　光を透過させる第一透過部が形成された第一演出部材と、
Ｂ’　第一透過部を透過した光を透過させる第二透過部が形成された第二演出部と、
を備え、
Ｃ　前記第一透過部は、前記第二透過部に重なる、前記光源が位置する側の反対側に突出する透過凸部を含み、
Ｄ’　前記第二演出部には、前記第二透過部である貫通孔が形成され、当該貫通孔に前記透過凸部が入り込んでおり、
Ｅ’　前記第一演出部材と前記第二演出部は、一体的に回転するものであり、
Ｆ’　前記透過凸部および前記貫通孔は、前記第一演出部材および前記第二演出部の回転中心からずれた位置に形成され、
Ｇ’　前記第二演出部には、回転中心側から外側に向かって延びる基準線に沿って並ぶ複数の前記貫通孔の集合体である一または複数の線状透過部が形成されている
Ｈ　遊技機。
　そして、両者は、以下の点で相違する。
＜相違点＞
　第二演出部に関して、本願発明は、第二演出部が、第一演出部材とは別に独立して存在する部材である第二演出部材であるのに対して、引用発明２は、第二演出部が、回転配光部材１５６の樹脂部分に設けられた蒸着金属薄膜層１５６ｆであることから、「第一演出部材とは別に独立して存在する部材」とはいえない点。
第６　検討・判断
１　相違点についての検討
　本願発明の相違点に係る構成と、引用発明１とを対比すると、引用発明１における「第２レンズ部７１」及び「露出窓部７８」は、「第２レンズ部７１」、「露出窓部７８」の順に、ＬＥＤ基板５０に設けられた第１ＬＥＤ５１からの光を透過するものであるから、「第２レンズ部７１」は、本願発明の相違点に係る構成の「光源から出射された光を透過させる第一透過部」に相当し、「露出窓部７８」は、本願発明の相違点に係る構成の「前記第一透過部を透過した光を透過させる第二透過部」に相当する。
　そして、引用発明１の「第２レンズ部７１」が形成された「レンズ部材７０」は、本願発明の相違点に係る構成の「第一演出部材」に相当し、引用発明１の「露出窓部(露出部)７８が形成され」た「前面板７７」が形成される「装飾カバー体７６」は、本願発明の相違点に係る構成の「第二演出部材」に相当する。
　また、引用発明１において、「装飾カバー体７６」は、「レンズ部材７０」とは別部材であるから、「別の独立して存在する部材」であるといえる。
　したがって、引用発明１は、本願発明の相違点に係る構成のうち、「第二演出部が、第一演出部材とは別に独立して存在する部材である第二演出部材である」構成を有しており、本願発明の相違点に係る構成をすべて備えるものである。
　そして、引用発明２と引用発明１は、ともに、回転かつ発光する演出用装置を有するパチンコ機という共通の技術分野に属するものである。
　また、引用発明２において、回転配光部材１５６は、銭貨形状とされ、茶色や黄金色のような銭貨色とされるものであるから、回転配光部材１５６の外形的な特徴により遊技者に対して特有の装飾効果を奏するものであり、一方、引用発明１も、可動体６０の外形的な特徴により、遊技者に対して特有の装飾効果を奏するという同様の作用効果を奏するものであるから、引用発明２と引用発明１は、遊技者に対して特有の装飾効果を奏するという作用の点においても、共通するものである。
　してみると、引用発明２において、第二演出部を、引用発明１の構成を適用することによって、第一演出部材とは別に独立して存在する部材である第二演出部材により構成することにより、本願発明の相違点に係る構成を成すことは、当業者が容易に想到し得ることである。
２　平成３１年１月１６日付け意見書における請求人の主張について
　請求人は、平成３１年１月１６日付け意見書の「３−２）理由２（進歩性）について」「３−２−２）刊行物２を主引用例とした判断について」において、
「（ａ）拒絶理由通知の「（２）対比　イ　本願発明の構成Bについて」に記載されている事項からすると、刊行物２に記載の「蒸着金属薄膜層１５６ｆ」が、本願発明の「第二演出部材」に相当すると判断されたものと認められる。
　しかし、「〜薄膜層」と称されるようなものが、「〜部材」（※１）と称されるようなものの概念に含まれると判断することは、日本語の解釈として不自然である（このように判断するのであれば、「〜部材」と称されるものの概念に、「薄膜層」と称されるようなものが含まれると解釈することが日本語として自然である根拠を示していただきたい）。 
　よって、「蒸着金属薄膜層１５６ｆ」が、本願発明の「第二演出部材」に相当することを前提とした進歩性否定の論理は成立しない。
（※１）「部材」の意は、
・建築などで、構造の部分をなす材。構成材。（広辞苑）
・構造物を組み立てている部分品。例えば、建物における柱・梁などは構造部材、彫刻装飾・壁面装飾などは装飾部材。（大辞泉）
である。
（ｂ）なお、今般の補正により、第二演出部材は、「第一演出部材とは別に独立して存在する部材」であることを明確化した（※２）。
　よって、「〜薄膜層」と称されるようなものが、「〜部材」と称されるようなものの概念に含まれると判断することができると仮定しても、刊行物２に記載の「蒸着金属薄膜層１５６ｆ」は、「配光レンズ１５６ａを有する樹脂製部分」（本願発明の第一演出部材に相当すると認定）とは別に独立して存在する部材であるとは認められないから、「蒸着金属薄膜層１５６ｆ」が本願発明の「第二演出部材」に相当するとすることはできない。
（※２）上記補正は、本願発明の「第二演出部材」が、刊行物２に記載される「蒸着金属薄膜層１５６ｆ」のようなそれ単体では存在し得ないようなものと区別するために行ったものである。」
と主張している。
　確かに、請求人の主張するとおり、「蒸着金属薄膜層１５６ｆ」は、「第一演出部材とは別に独立して存在する部材」ではないと認められる。
　しかしながら、本願発明のように「第二演出部材」を「第一演出部材とは別に独立して存在する部材」とする構成は、刊行物１に記載されている。
　そして、上記１で検討したように、引用発明２と引用発明１は、回転かつ発光する演出用装置を有するパチンコ機という共通の技術分野に属し、さらに、奏し得る作用効果の点においても共通するものであるから、引用発明２に引用発明１を適用することは、当業者であれば容易に想到し得ることである。
　したがって、請求人の意見書における上記の主張を参酌しても、本願発明が格別な進歩性を有するものとは認められない。
第７　結語
　以上のとおり、本願発明は、引用発明２に、引用発明１を適用することによって、当業者が容易に発明をすることができたものであるから、特許法第２９条第２項の規定により特許を受けることができないものであって、本願は拒絶すべきものである。 
　よって、結論のとおり審決する。